(57)【要約】【課題】  人手または車両等によって持ち運びが可能で、かつ、複数の測定対象成分の測定が可能な水質測定器を提供する。【解決手段】  持ち運び可能な水質測定器で、試薬と水試料とを反応させる反応部１０２、光を照射する光源１０１１〜１０１３、光源１０１１〜１０１３から照射され反応部１０２を透過した光の強度を検出する検出デバイス１０３、検出された光の強度から、水試料の測定対象物成分の濃度を導出する測定値導出手段１０４、試薬パッケージ１０６を充填する試薬パッケージ充填部、試薬パッケージ銃身部に充填された試薬パッケージ１０６に付されたバーコード１０６１の情報を読み取るバーコードリーダ１０７１、バーコードリーダ１０７１が読み取った情報から、試薬種類又は測定対象物成分の情報を取得し、この情報に基づいて光源１０１１〜１０１３及び測定値導出手段１０４に対して測定モードの切替指示を行う測定系制御部１０８、を有する。【選択図】  図１
2006308420.tif 000002
【特許請求の範囲】
【請求項１】
持ち運び可能な水質測定器であって、
試薬と水試料とを混合して反応させる反応部と、
前記反応部に光を照射する、波長の調整が可能な光源部と、
前記光源部から照射され前記反応部を透過した光の強度を検出する検出デバイス部と、
前記検出デバイス部で検出された光の強度から、前記反応部内の水試料の測定対象物成分の濃度を導出する測定値導出手段と、
前記試薬を包含する試薬パッケージを充填する試薬パッケージ充填部と、
前記試薬パッケージ充填部に充填された試薬パッケージに付された記録媒体の情報を読み取る情報読み取り手段と、
前記情報読み取り手段が読み取った情報から、前記試薬種類又は測定対象物成分の情報を取得し、当該情報に基づいて前記光源部及び前記測定値導出手段に対して測定モードの切替指示を行う測定系制御部と、を有することを特徴とする水質測定器。
【請求項２】
前記光源部は、
波長の異なる複数種類の光源と、
前記測定系制御部からの測定モードの切替指示に基づいて、前記複数種類の光源のうちいずれを選択するかを決定する光源切替部と、を有することを特徴とする請求項１に記載の水質測定器。
【請求項３】
前記光源部は、
複数種類の測定対象物成分の測定可能な程度に波長幅の広い光を発生する光源と、
前記光源から発生される光から、測定対象物成分の濃度を導出に必要な波長の光を選択的に得る複数種類のフィルタと、
前記測定系制御部からの測定モードの切替指示に基づいて、前記複数種類のフィルタのうちいずれを選択するかを決定するフィルタ切替部と、を有することを特徴とする請求項１に記載の水質測定器。
【請求項４】
持ち運び可能な水質測定器であって、
試薬と水試料とを混合して反応させる反応部と、
前記反応部に光を照射する光源部と、
前記光源部から照射され前記反応部を透過した光の強度を検出する、検出波長領域を調整可能な検出デバイス部と、
前記検出デバイス部で検出された光の強度から、前記反応部内の水試料の測定対象物成分の濃度を導出する測定値導出手段と、
前記試薬を包含する試薬パッケージを充填する試薬パッケージ充填部と、
前記試薬パッケージ充填部に充填された試薬パッケージに付された記録媒体の情報を読み取る情報読み取り手段と、
前記情報読み取り手段が読み取った情報から、前記試薬種類又は測定対象物成分の情報を取得し、当該情報に基づいて前記検出デバイス部及び前記測定値導出手段に対して測定モードの切替指示を行う測定系制御部と、を有することを特徴とする水質測定器。
【請求項５】
前記検出デバイス部は、
検出波長領域の異なる複数種類の検出デバイスと、
前記測定系制御部からの測定モードの切替指示に基づいて、前記複数種類の検出デバイスのうちいずれを選択するかを決定する検出デバイス切替部と、を有することを特徴とする請求項４に記載の水質測定器。
【請求項６】
持ち運び可能な水質測定器であって、
試薬と水試料とを混合して反応させる反応部と、
前記反応部に光を照射する、波長の調整が可能な光源部と、
前記光源部から照射した光により、前記反応部で試薬と水試料とが反応して生成した物質が発する光の強度を検出する、検出波長領域を調整可能な検出デバイス部と、
前記検出デバイス部で検出された光の強度から、前記反応部内の水試料の測定対象物成分の濃度を導出する測定値導出手段と、
前記試薬を包含する試薬パッケージを充填する試薬パッケージ充填部と、
前記試薬パッケージ充填部に充填された試薬パッケージに付された記録媒体の情報を読み取る情報読み取り手段と、
前記情報読み取り手段が読み取った情報から、前記試薬種類又は測定対象物成分の情報を取得し、当該情報に基づいて前記光源部、検出デバイス部及び前記測定値導出手段に対して測定モードの切替指示を行う測定系制御部と、を有することを特徴とする水質測定器。
【請求項７】
前記光源部は、
波長の異なる複数種類の光源と、
前記測定系制御部からの測定モードの切替指示に基づいて、前記複数種類の光源のうちいずれを選択するかを決定する光源切替部と、を有しており、
前記検出デバイス部は、
前記反応部で発生される光から、測定対象物成分の濃度を導出に必要な波長の光を選択的に得る複数種類のフィルタと、
前記測定系制御部からの測定モードの切替指示に基づいて、前記複数種類のフィルタのうちいずれを選択するかを決定するフィルタ切替部と、を有することを特徴とする請求項６に記載の水質測定器。
【請求項８】
前記情報読み取り手段は、バーコードリーダ、磁気記録媒体リーダ、ＩＣタグリーダ、又はＩＣカードリーダであることを特徴とする請求項１〜７いずれかに記載の水質測定器。
【請求項９】
前記測定系制御部は、
前記情報読み取り手段から前記試薬のＩＤ情報を取得し、当該ＩＤ情報に対応する前記試薬種類又は測定対象物成分の情報を試薬データベースから取得することを特徴とする請求項１〜８いずれかに記載の水質測定器。
【請求項１０】
前記測定系制御部は、
前記情報読み取り手段から、前記試薬の使用期限を取得し、当該使用期限と、当該水質測定器に内蔵する時計による現在日時とを比較して、使用する試薬が使用期限内であるかを判定することを特徴とする請求項１〜９いずれかに記載の水質測定器。
【発明の詳細な説明】
【技術分野】
【０００１】
本発明は、水質を測定する水質測定技術に係り、特に、人手又は車両等によって持ち運びが可能な水質測定器に関するものである。
【背景技術】
【０００２】
水質についての精密な正規の分析は、公定法若しくはＪＩＳ法、又は衛生試験法等に従って、専門的な知識と経験を有する専門家が、分析装置を用いて行う。このような分析装置は、ある程度の大きさを有し、人手又は車両等によって持ち運ぶような用途向けではなく、設置環境の整った実験室等に据え置き型として設置されている。
【０００３】
一方、実際の水質を検査する現場では、常に精密な結果のみが必要というわけではなく、測定対象となる水がどの程度汚染されているか、又は汚染物質が一定量以上含まれているか否か採取して精査する必要があるか否か等の判断を要求されることが多い。
【０００４】
このような場合には、人手又は車両等によって持ち運べ、簡便で、ただちに結果が得られる水質測定器が用いられている。このような水質測定器の具体的な製品の例としては、残留塩素、鉄、六価クロム、亜硝酸などの濃度を現場で測定可能な、簡易水質検査器  吸光光度計検査器アクアブ（柴田科学株式会社）などがある(例えば、非特許文献１参照。)。
【０００５】
人手又は車両等によって持ち運びが可能な水質測定器であっても、測定原理は据え置き型の分析装置と同様であることが多い。例えば、測定すべき水試料に試薬を注入し、試料中の測定対象成分が試薬と反応して測定対象成分の種類と濃度とに対応した反応色と濃さとを示すことを利用し、試料に反応色に応じた照射光を照射して照射光の吸収度合いを測定して該測定対象成分の濃度を求めるという吸光光度法は、据え置き型の分析装置においても、持ち運びが可能な水質測定器においても用いられる。
【０００６】
しかしながら、据え置き型の分析装置では様々な測定対象成分とそれに対応する試薬の組合せに応じて測定系の変更が可能であるのに対して、持ち運びが可能な水質測定器では測定系の変更は一般に不可能である。例えば、据え置き型の分析装置では、照射光の波長を分光器などによって変更することが可能であるのに対し、持ち運びが可能な水質測定器では固定の光源を用いるため照射光の波長は変更できず、したがって、１種類の測定対象成分とそれに対応する試薬の組合せのみにしか用いられない。
【０００７】
すなわち、吸光光度法を用いる持ち運びが可能な水質測定器では、ある測定対象成分に対して、専用の水質測定器が用いられ、複数の測定対象成分の測定はできない。よって、ある現場において、複数の測定対象成分の測定を行おうとする場合、現場に複数の持ち運びが可能な水質測定器を持っていかなくてはならない。
【０００８】
なお、水質検査器、水質計、水質センサなどについては、人手又は車両等によって持ち運びが可能なものを含む。これら用途は、水質検査を業とする会社に属する測定担当者が国や自治体若しくは企業等の依頼に基づいて、又は公的な研究機関に属する研究者が自らの目的の為に、河川、湖沼、ダム、プール、井戸水、地下水、都市下水、工業用水、工場下水、農業用水、貯水池、及び養殖場などの現場に赴いて、測定対象である水の水質を測定・分析し、検査することが主である。
【非特許文献１】簡易水質検査器、[ｏｎｌｉｎｅ]、[平成１７年４月８日検索]、インターネット<ＵＲＬ：ｈｔｔｐ：//ｉｎｆｏ．ｔａｃｔｎｅｔ．ｃｏ．ｊｐ/ｓｉｂａｔａ/ｊ/ｐｒｏｄｕｃｔ/ｐｄｆ/５２４-２２００．ｐｄｆ>
【発明の開示】
【発明が解決しようとする課題】
【０００９】
本発明は、人手または車両等によって持ち運びが可能で、かつ、複数の測定対象成分の測定が可能な水質測定器を提供することを目的とする。
【課題を解決するための手段】
【００１０】
そこで上記課題を解決するために、請求項１に記載の発明は、持ち運び可能な水質測定器であって、試薬と水試料とを混合して反応させる反応部と、前記反応部に光を照射する、波長の調整が可能な光源部と、前記光源部から照射され前記反応部を透過した光の強度を検出する検出デバイス部と、前記検出デバイス部で検出された光の強度から、前記反応部内の水試料の測定対象物成分の濃度を導出する測定値導出手段と、前記試薬を包含する試薬パッケージを充填する試薬パッケージ充填部と、前記試薬パッケージ充填部に充填された試薬パッケージに付された記録媒体の情報を読み取る情報読み取り手段と、前記情報読み取り手段が読み取った情報から、前記試薬種類又は測定対象物成分の情報を取得し、当該情報に基づいて前記光源部及び前記測定値導出手段に対して測定モードの切替指示を行う測定系制御部と、を有することを特徴とする。
【００１１】
また、請求項２に記載の発明は、前記光源部は、波長の異なる複数種類の光源と、前記測定系制御部からの測定モードの切替指示に基づいて、前記複数種類の光源のうちいずれを選択するかを決定する光源切替部と、を有することを特徴とする。
【００１２】
また、請求項３に記載の発明は、前記光源部は、複数種類の測定対象物成分の測定可能な程度に波長幅の広い光を発生する光源と、前記光源から発生される光から、測定対象物成分の濃度を導出に必要な波長の光を選択的に得る複数種類のフィルタと、前記測定系制御部からの測定モードの切替指示に基づいて、前記複数種類のフィルタのうちいずれを選択するかを決定するフィルタ切替部と、を有することを特徴とする。
【００１３】
また、請求項４に記載の発明は、持ち運び可能な水質測定器であって、試薬と水試料とを混合して反応させる反応部と、前記反応部に光を照射する光源部と、前記光源部から照射され前記反応部を透過した光の強度を検出する、検出波長領域を調整可能な検出デバイス部と、前記検出デバイス部で検出された光の強度から、前記反応部内の水試料の測定対象物成分の濃度を導出する測定値導出手段と、前記試薬を包含する試薬パッケージを充填する試薬パッケージ充填部と、前記試薬パッケージ充填部に充填された試薬パッケージに付された記録媒体の情報を読み取る情報読み取り手段と、前記情報読み取り手段が読み取った情報から、前記試薬種類又は測定対象物成分の情報を取得し、当該情報に基づいて前記検出デバイス部及び前記測定値導出手段に対して測定モードの切替指示を行う測定系制御部と、を有することを特徴とする。
【００１４】
また、請求項５に記載の発明は、前記検出デバイス部は、検出波長領域の異なる複数種類の検出デバイスと、前記測定系制御部からの測定モードの切替指示に基づいて、前記複数種類の検出デバイスのうちいずれを選択するかを決定する検出デバイス切替部と、を有することを特徴とする。
【００１５】
また、請求項６に記載の発明は、持ち運び可能な水質測定器であって、試薬と水試料とを混合して反応させる反応部と、前記反応部に光を照射する、波長の調整が可能な光源部と、前記光源部から照射した光により、前記反応部で試薬と水試料とが反応して生成した物質が発する光の強度を検出する、検出波長領域を調整可能な検出デバイス部と、前記検出デバイス部で検出された光の強度から、前記反応部内の水試料の測定対象物成分の濃度を導出する測定値導出手段と、前記試薬を包含する試薬パッケージを充填する試薬パッケージ充填部と、前記試薬パッケージ充填部に充填された試薬パッケージに付された記録媒体の情報を読み取る情報読み取り手段と、前記情報読み取り手段が読み取った情報から、前記試薬種類又は測定対象物成分の情報を取得し、当該情報に基づいて前記光源部、検出デバイス部及び前記測定値導出手段に対して測定モードの切替指示を行う測定系制御部と、を有することを特徴とする。
【００１６】
また、請求項７に記載の発明は、前記光源部は、波長の異なる複数種類の光源と、前記測定系制御部からの測定モードの切替指示に基づいて、前記複数種類の光源のうちいずれを選択するかを決定する光源切替部と、を有しており、前記検出デバイス部は、前記反応部で発生される光から、測定対象物成分の濃度を導出に必要な波長の光を選択的に得る複数種類のフィルタと、前記測定系制御部からの測定モードの切替指示に基づいて、前記複数種類のフィルタのうちいずれを選択するかを決定するフィルタ切替部と、を有することを特徴とする。
【００１７】
また、請求項８に記載の発明は、前記情報読み取り手段は、バーコードリーダ、磁気記録媒体リーダ、ＩＣタグリーダ、又はＩＣカードリーダであることを特徴とする。
【００１８】
また、請求項９に記載の発明は、前記測定系制御部は、前記情報読み取り手段から前記試薬のＩＤ情報を取得し、当該ＩＤ情報に対応する前記試薬種類又は測定対象物成分の情報を試薬データベースから取得することを特徴とする。
【００１９】
また、請求項１０に記載の発明は、前記測定系制御部は、前記情報読み取り手段から、前記試薬の使用期限を取得し、当該使用期限と、当該水質測定器に内蔵する時計による現在日時とを比較して、使用する試薬が使用期限内であるかを判定することを特徴とする。
【００２０】
請求項１に記載の発明では、試薬種類又は測定対象物成分の情報に基づいて、光源部、及び測定値導出手段の測定モードを切り替えるので、測定対象物成分に適当な測定を行うことが可能である。
【００２１】
請求項２に記載の発明では、光源部は、波長の異なる複数種類の光源を有しており、光源切替部が測定系制御部からの測定モードの切替指示に基づいて、複数種類の光源のうちいずれを選択するかを決定することにより波長の調整を行う。
【００２２】
請求項３に記載の発明では、光源部は、複数種類の測定対象物成分の測定可能な程度に波長幅の広い光を発生する光源、及び光源から発生される光から、測定対象物成分の濃度を導出に必要な波長の光を選択的に得る複数種類のフィルタを有しており、フィルタ切替部が測定系制御部からの測定モードの切替指示に基づいて、複数種類のフィルタのうちいずれを選択することにより波長の調整を行う。
【００２３】
請求項４に記載の発明では、試薬種類又は測定対象物成分の情報に基づいて、検出デバイス部、及び測定値導出手段の測定モードを切り替えるので、測定対象物成分に適当な測定を行うことが可能である。
【００２４】
請求項５に記載の発明では、検出デバイス部は、検出波長領域の異なる複数種類の検出デバイス有しており、検出デバイス切替部が測定系制御部からの測定モードの切替指示に基づいて、複数種類の検出デバイスのうちいずれを選択するかを決定することにより検出波長領域の調整を行う。
【００２５】
請求項６に記載の発明では、試薬種類又は測定対象物成分の情報に基づいて、光源部、検出デバイス部、及び測定値導出手段の測定モードを切り替えるので、測定対象物成分に適当な測定を行うことが可能である。
【００２６】
請求項７に記載の発明では、光源部は複数種類の測定対象物成分の測定可能な程度に波長幅の広い光を発生する光源、及び光源から発生される光から、測定対象物成分の濃度を導出に必要な波長の光を選択的に得る複数種類のフィルタを有しており、フィルタ切替部が測定系制御部からの測定モードの切替指示に基づいて、複数種類のフィルタのうちいずれを選択することにより波長の調整を行い、反応部で発生される光から、測定対象物成分の濃度を導出に必要な波長の光を選択的に得る複数種類のフィルタを有しており、フィルタ切替部が測定系制御部からの測定モードの切替指示に基づいて、複数種類のフィルタのうちいずれを選択するかを決定することにより検出波長領域を調整する。
【００２７】
請求項８に記載の発明では、バーコードリーダ、磁気記録媒体リーダ、ＩＣタグリーダ、又はＩＣカードリーダを用いて試薬パッケージから情報取得を行う。
【００２８】
請求項９に記載の発明では、試薬パッケージからＩＤ情報を取得することで試薬種類又は測定対象物成分の情報を取得することが可能である。
【００２９】
請求項１０に記載の発明では、水質測定に使用する試薬が使用期限内であるかを確認することが可能である。
【発明の効果】
【００３０】
請求項１〜９に記載の発明によれば、持ち運びが可能な水質測定器であっても、複数の測定対象物成分について適当な水質測定を行うことが可能となる。
【００３１】
請求項１０に記載の発明によれば、使用期限を過ぎた試薬を用いて不完全な水質測定が実施されるのを防止することが可能となる。
【発明を実施するための最良の形態】
【００３２】
以下、本発明の実施形態を図面を用いて説明する。
【００３３】
(実施形態１)
据え置き型の分析装置を実験室で用いる場合には、測定に用いる試薬について試薬棚から試薬瓶を取り出し調製するといった取り扱いは容易である。しかし、持ち運びが可能な水質測定器を現場で用いる場合には、実験室ほどに試薬の取り扱いが容易ではないため、試薬は予め調製された上で高分子製等のパッケージに充墳された形態で現場まで持ち運ばれ、現場で封を切って用いられることが多い。
【００３４】
試薬パッケージには試薬種類又は測定対象成分についての情報を記載してあるが、記載の方法は文字による方法であることが一般的である。また、試薬種類又は測定対象成分についての情報は、主として、測定担当者が目視によって試薬が確かに測定の目的や測定対象成分に適応した試薬であることを確認するためのものであって、試薬パッケージを除く水質測定器本体部分が情報を用いることはない。
【００３５】
本発明では、試薬パッケージに試薬種類又は測定対象成分についての情報を記録した記録媒体を備え、この記録媒体に記録された情報の読み取り手段を水質測定器本体に備えて、試薬種類又は測定対象成分についての情報を測定に有効に利用するものである。
【００３６】
図１は、水質測定器の構成を示すブロック図である。図１に示すように水質測定器１は、試料導入口１００、光源Ａ１０１１、光源Ｂ１０１２、及び光源１０１３、反応部１０２、検出デバイス１０３、測定値導出手段１０４、表示部１０５、バーコードリーダ１０７１、測定系制御部１０８、試薬データ１０９、検量線データ１１０、並びに試薬パッケージ充填部(図示省略)を備えている。パッケージ充填部には試薬パッケージ１０６が充填されるようになっており、この試薬パッケージ１０６にはバーコード１０６１が付されている。
【００３７】
図１において、水質測定器１は持ち運びが可能な水質測定器であって、試料導入口１００を介して反応部１０２に導入された水試料に含まれる測定対象成分と、水質測定器１に装填された試薬パッケージ１０６から反応部１０２に導入された試薬とが反応して呈する色の濃さの度合いを、吸光光度法の原理によって測定する。そして、水試料中に含まれる測定対象成分の濃度を求め、これを水試料の水質とする。
【００３８】
本実施形態では、試薬パッケージ１０６には、試薬種類又は測定対象成分についての情報を記録したバーコード１０６１が貼付されている。バーコード１０６１に記録された情報は、バーコード１０６１の記憶容量に制限がある場合等においては試薬種類又は測定対象成分と対応がつけられるＩＤ情報のみであっても構わないし、無論、試薬種類又は測定対象成分について記載した情報であってもよい。
【００３９】
試薬パッケージ１０６が水質測定器１に装填された状態で、バーコード１０６１に記録された情報はバーコードリーダ１０７１によって読み取られ、測定制御部１０８に送られる。
【００４０】
測定制御部１０８は、必要に応じて試薬データ１０９を参照して、ＩＤ情報から試薬種類又は測定対象成分についての情報を得る。
【００４１】
なお、本実施形態では、測定制御部１０８は水質測定器１に内包されている形式を示したが、測定制御部１０８が適切なインタフェースを介して、外部の試薬データにアクセスする形式をとってもよい。
【００４２】
本実施形態では、測定制御部１０８は試薬種類又は測定対象成分についての情報に基づいて、試薬種類と測定対象成分との組合せに適応した光源を選択すべく、光源切り替え部１０８１を制御する。同時に、試薬種類又は測定対象成分についての情報は測定値導出手段１０４に送られる。
【００４３】
本実施形態において、水試料の水質として水試料中に含まれる測定対象成分の濃度を測定する過程は、測定系制御部１０８と光源切り替え部１０８１とによってなる光源切り替え手段によって光源として選択された光源Ａ１０１１から発せられた光源光が、照射光として水試料と試薬とが混合された反応部１０２に照射される。そして照射光のうち反応部１０２を透過した透過光の強度が検出デバイス１０３で測定され、測定された透過光の強度の情報は、電気信号等の形で、測定値導出手段１０４に送られる。測定値導出手段１０４では、送られた透過光の強度の情報と、測定系制御部１０８から送られた試薬種類又は測定対象成分についての情報とから、検量線データ１１０を参照して測定対象成分の濃度を測定値として導出する。
【００４４】
光源Ａ１０１１、光源Ｂ１０１２、及び光源Ｃ１０１３は、例えば、光源光の波長の異なる３種の発光ダイオードである。測定系制御部１０８と光源切り替え部１０８１とによってなる光源切り替え手段は、例えば、光源Ａ１０１１、光源Ｂ１０１２、及び光源Ｃ１０１３を物理的に切り替える手段でもよいし、光源Ａ１０１１、光源Ｂ１０１２、及び光源Ｃ１０１３からの光源光の光路を切り替える手段でもよいし、光源Ａ１０１１、光源Ｂ１０１２、及び光源Ｃ１０１３に電力を供給する電源をオンオフする手段でもよい。
【００４５】
検出デバイス１０３は、例えば、フォトダイオードである。
【００４６】
なお、例えば、反応部１０２は反応セルであって、検量線データ１１０は反応セルの光路長を計算に入れて、測定対象成分の濃度、透過光強度ないし透過光強度から算出される吸光度との関係を記述してある。
【００４７】
測定値導出手段１０４は、例えば、光源Ａ１０１１から発せられる光源光の強度のゆらぎ、ばらつき、若しくは経年変化による減衰が、又は、フォトダイオードの経年変化による感度劣化が、測定対象成分の測定値に影響を与えることを避けるために反応部１０２に何も導入しない状態で測った透過光の強度を参照として、参照強度に対する透過光強度の相対値から検量線データ１１０を参照して測定値を求めることも可能とする。
【００４８】
(実施形態２)
図２は、水質測定器の構成を示すブロック図である。本実施形態では、試薬パッケージ１０６には試薬種類又は測定対象成分についての情報を記録したＩＣタグ１０６２が貼付されている。この情報は、目的とする測定にとって十分な情報を含んでいるものとする。ＩＣタグ１０６２に記録された情報は、試薬パッケージ１０６が水質測定器１に装填された状態でＩＣタグリーダ１０７２によって読み取られ、測定制御部１０８に送られる。
【００４９】
本実施形態では、測定制御部１０８は読み取った情報に基づいて試薬種類と測定対象成分との組合せに適応した検出デバイスを選択すべく、検出デバイス切り替え部１０８２を制御する。同時に、試薬種類又は測定対象成分についての情報は測定値導出手段１０４に送られる。
【００５０】
本実施形態において、水試料の水質として水試料中に含まれる測定対象成分の濃度を測定する過程は、光源１０１から発せられた光源光が照射光として水試料と試薬とが混合された反応部１０２に照射され、照射光のうち反応部１０２を透過した透過光の強度が、測定系制御部１０８と検出デバイス切り替え部１０８２によってなる検出デバイス切り替え手段によって選択された検出デバイスＲ１０３３で測定される。この測定された透過光強度の情報は電気信号等の形で測定値導出手段１０４に送られ、測定値導出手段１０４では送られた透過光の強度の情報と測定系制御部１０８から送られた試薬種類又は測定対象成分についての情報とから、検量線データ１１０を参照して測定対象成分の濃度を測定値として導出する。
【００５１】
本実施形態では、光源１０１は幅広いスペクトルの光源光を発し、検出デバイスＰ１０３１、検出デバイスＱ１０３２、及び検出デバイスＲ１０３３は、例えば、フォトダイオードであり、それぞれ検出する検出光の波長が異なる。それぞれの検出光の波長範囲は、光源光のスペクトルの波長範囲に包含される。
【００５２】
なお、ＩＣタグ１０６２に記録された情報には、試薬種類又は測定対象成分についての情報の他に、試薬パッケージ１０６の使用期限についての情報が含まれており、測定系制御部１０８において送られた試薬パッケージ１０６の使用期限についての情報と、日時を示す時計１１１からの測定日の日時情報とを比較する。そして、試薬パッケージ１０６の使用期限が測定日を過ぎている場合には、例えば、測定値導出手段１０４を介して表示部１０２に表示させたり、警告音を生じさせたり、測定系制御部１０８自体の動作を停止させたりすることによって、試薬パッケージ１０６の使用期限が測定日を過ぎている旨を測定担当者に知らせることも可能である。
【００５３】
(実施形態３)
図３は、水質測定器の構成を示すブロック図である。本実施形態では、試薬パッケージ１０６に貼付のＩＣタグ１０６２に記録された試薬種類又は測定対象成分についての情報は、試薬パッケージ１０６が水質測定器１に装填された状態でＩＣタグリーダ１０７２によって読み取られ、測定制御部１０８に送られる。
【００５４】
測定制御部１０８は、読み取った情報に基づいて試薬種類と測定対象成分との組合せに適応した照射光スペクトルを得るために、光源光スペクトルからフィルタリングによって特定のスペクトル成分を抽出する光源フィルタを複数種類の中で切り替え可能な光源フィルタ切り替え部１０８３を制御する。同時に、試薬種類又は測定対象成分についての情報は測定値導出手段１０４に送られる。
【００５５】
本実施形態において、水試料の水質として、水試料中に含まれる測定対象成分の濃度を測定する過程は、測定系制御部１０８と光源フィルタ切り替え部１０８３とによってなる照射光切り替え手段によって光源１０１から発せられた光源光のうち、切り替えによって選択された光源フィルタ１０８３１を透過するスペクトル範囲の光を照射光として、水試料と試薬とが混合された反応部１０２に照射される。この照射光のうち反応部１０２を透過した透過光の強度が検出デバイス１０３で測定される。測定された透過光の強度の情報は電気信号等の形で測定値導出手段１０４に送られ、測定値導出手段１０４では送られた透過光の強度の情報と、測定系制御部１０８から送られた試薬種類または測定対象成分についての情報とから、検量線データ１１０を参照して測定対象成分の濃度を測定値として導出する。
【００５６】
本実施形態では、光源１０１は比較的幅広いスペクトルの光源光を発し、そのうち照射光切り替え手段によって選択された光源フィルタによって特定のスペクトル成分の光が照射光となるが、光源フィルタが複数種類のうちのいずれであっても、すなわち、照射光がいずれのスペクトル範囲であっても検出デバイス１０３は透過光を検出可能なものとする。検量線データ１１０は、光源フィルタの透過特性及び検出デバイスの検出特性を計算に入れて、測定対象成分の濃度と、透過光強度ないし透過光強度から算出される吸光度との関係を記述してある。
【００５７】
(実施形態４)
図４は、水質測定器の構成を示すブロック図である。本実施形態では、試薬パッケージ１０６に貼付のＩＣタグ１０６２に記録された試薬種類又は測定対象成分についての情報は、試薬パッケージ１０６が水質測定器１に装填された状態で、ＩＣタグリーダ１０７２によって読み取られ、測定制御部１０８に送られる。
【００５８】
測定制御部１０８は、読み取った情報に基づいて試薬種類と測定対象成分との組合せに適応した照射光スペクトルを得るために、光源切り替え部１０８１を制御し、かつ、光照射によって励起された測定対象成分が発する光を選択的に検出するために、反応部１０２からの光からフィルタリングによって特定のスペクトル成分を抽出する検出フィルタ１０８４１を複数種類の中から切り替え可能な検出フィルタ切り替え部１０８４を制御する。同時に、試薬種類又は測定対象成分についての情報は測定値導出手段１０４に送られる。
【００５９】
本実施形態において、水試料の水質として水試料中に含まれる測定対象成分の濃度を測定する過程は、測定系制御部１０８と光源切り替え部１０８１とによってなる光源切り替え手段によって光源として選択された光源Ａ１０１１から発せられた光源光が、照射光として水試料と試薬とが混合された反応部１０２に照射される。
【００６０】
反応部１０２において照射によって励起された測定対象成分が発した光は、測定系制御部１０８と検出フィルタ切り替え部１０８４とによって選択された検出フィルタ１０８４１を透過した後、検出デバイス１０３で検出される。
【００６１】
検出された光の強度の情報は、電気信号等の形で測定値導出手段１０４に送られ、測定値導出手段１０４において送られた検出光強度の情報と測定系制御部１０８から送られた試薬種類又は測定対象成分についての情報とから、検量線データ１１０を参照して測定対象成分の濃度を測定値として導出する。
【００６２】
本実施形態において、検量線データ１１０は、光源Ａ１０１１から発せられた光の照射によって励起された測定対象成分が発する光の量子収率、及び光源フィルタ１０８４１の透過特性を計算に入れて、測定対象成分の濃度と測定対象成分が発する光の強度との関係を記述してある。
【００６３】
なお、光源Ａ１０１１から発せられた光の照射によって励起された測定対象成分が発する光の例としては、蛍光、りん光がある。
【００６４】
上記水質測定器によれば、人手または車両等によって持ち運びが可能で、かつ、複数の測定対象成分の測定が可能な水質測定器を提供することがのうとなる。これにより、水質測定担当者が水質測定器を水質測定現場に持ち運ぶ労力を軽減すること、及び、現場に赴いての水質測定を業とする者にとって持ち運びが可能な水質測定器の購入コストを低減することが可能となる。
【図面の簡単な説明】
【００６５】
【図１】水質測定器の構成を示すブロック図。
【図２】水質測定器の構成を示すブロック図。
【図３】水質測定器の構成を示すブロック図。
【図４】水質測定器の構成を示すブロック図。
【符号の説明】
【００６６】
１…水質測定器
１００…水試料導入口
１０１…光源
１０１１…光源Ａ
１０１２…光源Ｂ
１０１３…光源Ｃ
１０２…反応部
１０３…検出デバイス
１０３１…検出デバイスＰ
１０３２…検出デバイスＱ
１０３３…検出デバイスＲ
１０４…測定値導出手段
１０５…表示部
１０６…試薬パッケージ
１０６１…バーコード
１０６２…ＩＣタグ
１０７１…バーコードリーダ
１０７２…ＩＣタグリーダ
１０８…測定系制御部
１０８１…光源切り替え部
１０８２…検出デバイス切り替え部
１０８３…光源フィルタ切り替え部
１０８３１…光源フィルタ
１０８４…検出フィルタ切り替え部
１０８４１…検出フィルタ
１０９…試薬データ
１１０…検量線データ
１１１…時計
【図１】
2006308420.tif 000003
【図２】
2006308420.tif 000004
【図３】
2006308420.tif 000005
【図４】
2006308420.tif 000006